【事件の表示】
　特願２０１５−１８９７１５「通信システム、情報処理装置、通信装置、通信方法、コンピュータプログラム及び記録媒体」拒絶査定不服審判事件〔平成２８年　１月２８日出願公開、特開２０１６−　１５７７５〕について、次のとおり審決する。
【結　論】
　本件審判の請求は、成り立たない。
【理　由】
第１　手続の経緯
　本願は、平成２３年５月２０日に出願した特願２０１１−１１４０３９号の一部を平成２７年９月２８日に新たな特許出願としたものであって、その手続の経緯は、以下のとおりである。
　平成２８年　８月　３日付け：拒絶理由通知書
　平成２８年　９月２８日　　：意見書、手続補正書の提出
　平成２８年１０月１４日付け：拒絶査定
　平成２８年１０月１８日　　：拒絶査定の謄本の送達
　平成２９年　１月　６日　　：審判請求書、手続補正書の提出
　平成３０年　３月２９日付け：拒絶理由通知書
　平成３０年　５月２１日　　：意見書の提出
第２　本願発明
　本願の請求項１ないし１３に係る発明は、平成２９年１月６日付けの手続補正によって補正された特許請求の範囲の請求項１ないし１３に記載された事項により特定されるものと認められるところ、その請求項１に係る発明（以下「本願発明」という。）は、以下のとおりのものである。
　なお、Ａ〜Ｂ５は、説明のために当審にて付したものである。（以下、「構成Ａ」〜「構成Ｂ５」という。）
「Ａ　処理すべきデータを記憶している情報処理装置と、該情報処理装置とのデータ通信を行う通信装置とを有する通信システムにおいて、
　Ｂ　前記情報処理装置は、
　Ｂ１　記憶している記憶データを表す一又は複数の画像を表示する表示部と、
　Ｂ２　前記表示部の表示面に表示された画像への接触及び接触位置を検出する検出手段と、
　Ｂ３　前記通信装置と通信を確立する通信確立手段と、
　Ｂ４　前記接触位置に表示されている表示画像に係る接触点が前記表示画像内で移動した場合と、移動していない場合とを、前記表示画像に対応する対応記憶データに対する異なる制御指示として判定する判定手段とを備え、
　Ｂ５　前記判定手段の判定結果に基づき、前記表示画像に対応する対応記憶データを制御することを特徴とする
　Ａ　通信システム。」
第３　当審が通知した平成３０年３月２９日付け拒絶理由について
　当審が通知した平成３０年３月２９日付け拒絶理由のうちの理由１は、次のとおりのものである。
　この出願の請求項１、７、１１−１３に係る発明は、その出願前に日本国内又は外国において、頒布された特開２００８−２３６５３９号公報に記載された発明であるから、特許法第２９条第１項第３号に該当し、特許を受けることができない。  
第４　引用文献の記載事項及び引用発明について
　当審が通知した拒絶理由で引用された、本願出願前に頒布された特開２００８−２３６５３９号公報（以下、「引用文献１」という。）には、図面とともに、次の記載がある。
【００３２】
　
デジタル複合機１は、
原稿読取部１６は、
原稿の読み取りを行い、読み取りにより取得した画像を画像メモリ１７に記憶する。
【００３５】
　更に、本発明に係るデジタル複合機１では、表示部２１に原稿読取部１６にて読み取った原稿に係る画像を一覧表示することができるようにしてあり、制御部１０が画像メモリ１７に記憶された画像を表示部２１に
表示可能な程度のサイズに縮小して
サムネイル表示を行う
【００３６】
　タッチパネル１９の接触センサ２２には、アナログ容量結合方式のセンサを用いることができる。アナログ容量結合方式の接触センサは、
表示部２１の表面を導電膜で均一にコーティングして電界を張り巡らせ、
接触位置を特定することができる。
【００３７】
　また、本発明に係るデジタル複合機１では、タッチパネル１９の表示部２１にユーザが指を接触して離す操作をタッチ操作として検知することができる。更に、
ユーザによる表示部２１中の略同じ場所への連続したタッチ操作を連続タッチ操作として検知することができる。
接触センサ２２は表示部２１への接触の検知及び接触位置の判断を行う
【００６９】
　次に、デジタル複合機１の
スキャナモード
デジタル複合機１は、
複数のＰＣ５、６…と通信を行う。
スキャナ機能により読み取った原稿に係る読取画像をあらかじめ登録されたＰＣ５、６…のフォルダに保存する。
原稿の読み取りを行う
【００７０】
　ユーザからの保存先の選択を受け付けた後、デジタル複合機１は、
原稿読取部１６にて読み取った原稿に係る読取画像を表示部２１に一覧表示する
【００７１】
　一覧表示部１６０の下方には保存先アイコン表示部１６３が設けてある。デジタル複合機１は選択を受け付けた保存先に係る保存先アイコンを保存先アイコン表示部１６３に表示する。保存先アイコンは、保存先のフォルダ名を示す文字列と、フォルダの模式的な画像とを組み合わせたものである。図１５に示す例では、フォルダａ〜ｄの４つを示す保存先アイコンが保存先アイコン表示部１６３に表示してある。例えば、
一の読取画像Ｉをドラッグして一の保存先アイコンへドロップするドラッグ＆ドロップ操作を行う
各読取画像の保存先を個別に設定する
個別に保存先が設定された場合、デジタル複合機１は一覧表示部１６０内の各読取画像に、縮小又は簡易化した送信先アイコンを重ねて表示する。
【００７４】
　図１６及び図１７は、本発明に係るデジタル複合機１が行うタッチパネル１９での操作受付処理の手順を示すフローチャートであり、図５〜図７に示す処理の場合（
集約コピーを行う場合
【００７５】
　
表示部２１への接触を検知した場合
表示部２１上の接触位置を接触センサ２２より取得し
表示部２１に表示された読取画像に対する接触であるか否かを調べる
【００７６】
　
ユーザによる接触が読取画像に対するものである場合
読取画像に対して連続的なタッチ操作がされた場合
表示部２１に詳細情報ウインドウ１００を表示して
【００７７】
　読取画像に対する接触操作が連続的なタッチ操作でない場合（Ｓ７：ＮＯ）、接触センサ２２により表示部２１に対する接触が解除されたか否かを調べる（ステップＳ９）。接触が解除されていない場合（Ｓ９：ＮＯ）、更に表示部２１に対する接触位置が移動したか否かを接触センサ２２により調べる（ステップＳ１０）。
接触位置が移動した場合
ドラッグ＆ドロップモード（以下、Ｄ＆Ｄモードと記載する）へ移行し
　上記記載、並びにこの分野における技術常識を考慮し、以下で検討する。
（ア）上記段落００３２、００６９の記載から、引用文献１には、読み取りにより取得した読取画像を画像メモリに記憶するデジタル複合機と、該デジタル複合機と通信を行うＰＣとを有する構成が記載されている。
（イ）上記段落００３２、００３５、００７０の記載から、引用文献１のデジタル複合機は、画像メモリに記憶されている読取画像を表示可能な程度のサイズに縮小してサムネイル表示により一覧表示する表示部を備えているものである。
（ウ）上記段落００３６、００３７の記載から、引用文献１のデジタル複合機の接触センサは、表示部の表面への接触の検知及び接触位置の判断を行うものであり、上記段落００７４〜００７７の記載から、引用文献１のデジタル複合機の接触センサは、集約コピーを行う場合に、表示部の表面への接触を検知した場合、表示部上の接触位置を取得し、表示部に表示された読取画像に対する接触であるか否かを調べ、読取画像に対するものであり、接触位置が移動した場合には、ドラッグ＆ドロップモードへ移行するものである。
　そして、上記段落００６９、００７１の記載から、スキャナモードを行う場合には、読取画像をドラッグして保存先アイコンへドロップするドラッグ＆ドロップ操作を行うものである。
　表示部の表面への接触を検知した場合、表示部上の接触位置を取得し、表示部に表示された読取画像に対する接触であるか否かを調べることは、集約コピーを行う場合に限定される構成でなく、スキャナモード等の集約コピー以外で読取画像を扱う場合における読取画像に対して接触する場合においても、同様に適用されると解されるものである。
　したがって、引用文献１のデジタル複合機は、表示部の表面への接触の検知及び接触位置の判断を行い、表示部に表示された読取画像に対する接触であるか否かを調べる接触センサを備えているものである。
（エ）上記段落００６９の記載から、引用文献１のデジタル複合機は、ＰＣと通信を行うものである。
（オ）上記段落００３７、００７４〜００７７の記載から、引用文献１のデジタル複合機は、集約コピーを行う場合に、接触が読取画像に対するものである場合で、読取画像に対して表示部中の略同じ場所への連続したタッチ操作である連続的なタッチ操作がされた場合は、表示部に詳細情報ウインドウを表示し、接触位置が移動した場合は、ドラッグ＆ドロップモードへ移行するものである。
　そして、上記段落００６９、００７１の記載から、一の読取画像をドラッグして一の保存先アイコンへドロップするドラッグ＆ドロップ操作を行うことにより、読取画像の保存先を個別に設定し、ＰＣのフォルダに保存し、個別に保存先が設定された場合、各読取画像に、送信先アイコンを重ねて表示するものである。
　接触が読取画像に対するものである場合で、読取画像に対して、表示部中の略同じ場所への連続したタッチ操作である連続的なタッチ操作がされた場合は、表示部に詳細情報ウインドウを表示することや、接触位置が移動した場合は、ドラッグ＆ドロップモードへ移行することは、集約コピーを行う場合に限定される構成でなく、スキャナモードを行う場合においても、同様に適用されると解されるものである。
　したがって、引用文献１のデジタル複合機は、接触が読取画像に対するものである場合で、読取画像に対して、表示部中の略同じ場所への連続したタッチ操作である連続的なタッチ操作がされた場合は、表示部に詳細情報ウインドウを表示し、接触位置が移動した場合は、ドラッグ＆ドロップモードへ移行し、一の読取画像をドラッグして一の保存先アイコンへドロップすることにより、読取画像の保存先を個別に設定し、ＰＣのフォルダに保存し、個別に保存先が設定された場合、各読取画像に、送信先アイコンを重ねて表示するものである。
　よって、引用文献１には、以下の発明（以下、「引用発明」という。）が開示されている。
　なお、ａ〜ｂ４は、説明のために当審にて付したものである。（以下、「構成ａ」〜「構成ｂ４」という。）
（引用発明）
「ａ　読み取りにより取得した読取画像を画像メモリに記憶するデジタル複合機と、該デジタル複合機と通信を行うＰＣとを有する構成において、
　ｂ　前記デジタル複合機は、
　ｂ１　画像メモリに記憶されている読取画像を表示可能な程度のサイズに縮小してサムネイル表示により一覧表示する表示部と、
　ｂ２　前記表示部の表面への接触の検知及び接触位置の判断を行い、表示部に表示された読取画像に対する接触であるか否かを調べる接触センサと、
　ｂ３　前記ＰＣと通信を行うことと、
　ｂ４　接触が読取画像に対するものである場合で、読取画像に対して、前記表示部中の略同じ場所への連続したタッチ操作である連続的なタッチ操作がされた場合は、前記表示部に詳細情報ウインドウを表示し、接触位置が移動した場合は、ドラッグ＆ドロップモードへ移行し、一の読取画像をドラッグして一の保存先アイコンへドロップすることにより、読取画像の保存先を個別に設定し、前記ＰＣのフォルダに保存し、個別に保存先が設定された場合、各読取画像に、送信先アイコンを重ねて表示することを特徴とする
　ａ　構成。」
第５　対比及び一致点について
１　対比
　本願発明と引用発明を対比する。
（ａ）構成Ａと構成ａの対比について
　構成ａの「読み取りにより取得した読取画像」は、構成ｂ４のように、「読取画像の保存先を個別に設定し、前記ＰＣのフォルダに保存する」ものであり、ＰＣのフォルダに保存するという処理をするためのデータといえるから、構成Ａの「処理すべきデータ」に相当する。
　構成ａの「デジタル複合機」は、読取画像という情報を処理する装置といえるから、構成Ａの「情報処理装置」に相当する。
　また、構成ａの「該デジタル複合機と通信を行うＰＣ」は、構成Ａの「該情報処理装置とのデータ通信を行う通信装置」に相当する。
　さらに、構成ａの「デジタル複合機と、」「ＰＣとを有する構成」の「構成」は、通信をする構成であるから、構成Ａの「通信システム」に相当する。
　したがって、構成ａと構成Ａは一致する。
（ｂ）構成Ｂと構成ｂについて
　上記（ａ）の検討と同様に、構成ｂの「デジタル複合機」は、構成Ｂの「情報処理装置」に相当する。
　したがって、構成ｂと構成Ｂは一致する。
（ｃ）構成Ｂ１と構成ｂ１について
　構成ｂ１の「画像メモリに記憶されている読取画像を表示可能な程度のサイズに縮小してサムネイル表示により一覧表示する」こととは、「画像メモリに記憶されている読取画像」を表す「表示可能な程度のサイズに縮小し」た複数の「サムネイル」画像を「表示する」ことといえる。
　ここで、構成ｂ１の「画像メモリに記憶されている読取画像」は、構成Ｂ１の「記憶している記憶データ」に相当する。
　また、「表示可能な程度のサイズに縮小し」た複数の「サムネイル」画像は、構成Ｂ１の「一又は複数の画像」に相当する。
　したがって、構成ｂ１と構成Ｂ１は一致する。
（ｃ）構成Ｂ２と構成ｂ２について
　構成ｂ２の「前記表示部の表面への接触の検知及び接触位置の判断を行い、表示部に表示された読取画像に対する接触であるか否かを調べる」こととは、表示部の表面に表示された読取画像への接触及び接触位置を検出することであるから、構成Ｂ２の「前記表示部の表示面に表示された画像への接触及び接触位置を検出する」ことに相当する。
　構成ｂ２の「接触センサ」は、接触及び接触位置を検出する手段といえるので、構成Ｂ２の「検出手段」に相当する。
　したがって、構成ｂ２と構成Ｂ２は一致する。
（ｄ）構成Ｂ３と構成ｂ３について
　構成ｂ３は、デジタル複合機がＰＣと通信を行うことであり、通信を行う場合に、通信を確立する手段を有することは、常套手段であるから、引用発明においても、構成Ｂ３に一致する構成を有するものである。
（ｅ）構成Ｂ４、Ｂ５と構成ｂ４について
　構成ｂ４の「接触が読取画像に対するものである場合で、読取画像に対して、前記表示部中の略同じ場所への連続したタッチ操作である連続的なタッチ操作がされた場合」における「読取画像」は、「接触」及び「連続的なタッチ操作」される画像であるから、構成ｂ１のような「表示可能な程度のサイズに縮小してサムネイル表示」されている画像を指すものであり、『接触位置に表示されている画像』といえる。
　構成ｂ４の「前記表示部中の略同じ場所への連続したタッチ操作である連続的なタッチ操作がされた場合」とは、『接触位置に表示されている画像において同じ位置を移動することなく連続的にタッチ操作する場合』であるといえる。
　構成ｂ４の「接触位置が移動した場合は、ドラッグ＆ドロップモードへ移行し、一の読取画像をドラッグして一の保存先アイコンへドロップする」における「ドラッグ＆ドロップモード」は、一般に、接触位置の移動とともに、移動した接触位置に、最初の接触位置に表示していた画像（以下、「元の画像」という。）を当該移動に合わせて表示する表示に伴う操作を意味するものであるが、接触位置が移動している最中においても、最初の接触位置には「元の画像」を表示しつつ、「元の画像」を当該移動に合わせて表示するようにすることは、常套手段である。
　そして、構成ｂ４の「個別に保存先が設定された場合、各読取画像に、送信先アイコンを重ねて表示する」の記載から、「ドラッグ＆ドロップモード」は、個別の保存先を設定した後、すなわち、一の読取画像をドラッグして一の保存先アイコンへドロップした後には、最初に接触した位置に表示していた「元の画像」である各読取画像に、送信先アイコンを重ねて表示するものである。したがって、「ドラッグ＆ドロップモード」は、当該接触位置が、最初の接触位置から移動した際に、最初の接触位置に表示されていた「元の画像」を存在しないものとすることは不自然であり、引用発明においては、読取画像（「元の画像」）は、接触位置が移動しても最初の接触位置から移動する表示に加えて、最初の接触位置に表示されていると考えるのが自然である。
　そうすると、構成ｂ４の「接触位置が移動した場合」とは、接触位置が移動している場合にも最初の接触位置に表示されている画像に対して、接触位置が当該画像内を移動してから、画像外へ移動した場合と解されるから、『接触位置に表示されている画像において接触位置が前記接触位置に表示されている画像内で移動した場合』といえる。
　構成ｂ４においては、「連続的なタッチ操作がされた場合は、前記表示部に詳細情報ウインドウを表示し、接触位置が移動した場合は、」「読取画像の保存先を個別に設定し、前記ＰＣのフォルダに保存する」構成であり、「前記表示部に詳細情報ウインドウを表示」することと、「読取画像の保存先を個別に設定し、前記ＰＣのフォルダに保存する」ことは、異なる制御であるから、「連続的なタッチ操作がされた場合」と「接触位置が移動した場合」で、異なる制御指示と判定し、判定結果に基づき、制御するものといえる。
　ここで、異なる制御指示と判定することや、判定結果に基づき、制御するのは、構成ｂ１に示されている「画像メモリに記憶されている読取画像」に対してのことであるから、構成ｂ４は、『画像メモリに記憶されている読取画像に対する異なる制御指示と判定し、判定結果に基づき、画像メモリに記憶されている読取画像を制御する』ものといえる。
　以上をまとめると、構成ｂ４は、『接触位置に表示されている画像において接触位置が前記接触位置に表示されている画像内で移動した場合と、同じ位置を移動することなく連続的にタッチ操作する場合とを、画像メモリに記憶されている読取画像に対する異なる制御指示と判定し、判定結果に基づき、画像メモリに記憶されている読取画像を制御する』構成である。
　そして、構成ｂ４の『接触位置に表示されている画像』は、構成Ｂ４の「前記接触位置に表示されている表示画像」に相当する。
　構成ｂ４の『接触位置が前記接触位置に表示されている画像内で移動した場合』は、構成Ｂ４の「接触点が前記表示画像内で移動した場合」に相当する。
　構成ｂ４の『同じ位置を移動することなく連続的にタッチ操作する場合」は、構成Ｂ４の「接触点が前記表示画像内で」「移動していない場合」に相当する。
　そして、『画像メモリに記憶されている読取画像』は、構成Ｂ４及びＢ５の「前記表示画像に対応する対応記憶データ」に相当するものであり、『異なる制御指示と判定』するのであれば、そのような判定をする手段を備えるものといえる。
　よって、構成ｂ４の「接触が読取画像に対するものである場合で、読取画像に対して連続的なタッチ操作がされた場合は、前記表示部に詳細情報ウインドウを表示し、接触位置が移動した場合は、ドラッグ＆ドロップモードへ移行し、一の読取画像をドラッグして一の保存先アイコンへドロップすることにより、読取画像の保存先を個別に設定し、前記ＰＣのフォルダに保存すること」は、構成Ｂ４、Ｂ５の「前記接触位置に表示されている表示画像に係る接触点が前記表示画像内で移動した場合と、移動していない場合とを、前記表示画像に対応する対応記憶データに対する異なる制御指示として判定する判定手段とを備え、前記判定手段の判定結果に基づき、前記表示画像に対応する対応記憶データを制御すること」と一致する。
２　一致点
　以上より、本願発明と引用発明との一致点は次のとおりであり、相違点はない。
「処理すべきデータを記憶している情報処理装置と、該情報処理装置とのデータ通信を行う通信装置とを有する通信システムにおいて、
　前記情報処理装置は、
　記憶している記憶データを表す一又は複数の画像を表示する表示部と、
　前記表示部の表示面に表示された画像への接触及び接触位置を検出する検出手段と、
　前記通信装置と通信を確立する通信確立手段と、
　前記接触位置に表示されている表示画像に係る接触点が前記表示画像内で移動した場合と、移動していない場合とを、前記表示画像に対応する対応記憶データに対する異なる制御指示として判定する判定手段とを備え、
　前記判定手段の判定結果に基づき、前記表示画像に対応する対応記憶データを制御することを特徴とする
　通信システム。」
　したがって、本願発明は、引用文献１に記載された発明である。
第６　審判請求人の主張について
　審判請求人は、平成３０年５月２１日付け意見書にて、『引用文献１の記載における「接触位置が移動した場合」とは、ドラッグ＆ドロップモードへの移行を指すものである。即ち、引用文献１においては「接触位置が移動した場合」に、ドラッグ＆ドロップ処理が行われる。しかし、文字通りドラッグ＆ドロップは、選択（接触）した画像をそのまま引きずって移動させる処理である。つまり、当該画像と選択点（接触点）とは一緒に移動するものであって、斯かる画像が停止したまま接触点だけが当該画像上を移動することではない。してみれば、引用文献１における移動の過程の中には、拒絶理由通知書で指摘されたような読取画像内を移動している過程は含まれていないと言える。』と主張している。
　上記第５　１（ｅ）で検討したように、ドラッグ＆ドロップは、接触位置の移動とともに、移動した接触位置に、「元の画像」を当該移動に合わせて表示する表示に伴う操作を意味するものであるが、接触位置が移動している最中においても、最初の接触位置には「元の画像」を表示しつつ、「元の画像」を当該移動に合わせて表示するようにすることは、常套手段である。そして、引用発明においては、読取画像（「元の画像」）は、接触位置が移動しても最初の接触位置から移動する表示に加えて、最初の接触位置に表示されていると考えるのが自然である。
　したがって、審判請求人の「当該画像と選択点（接触点）とは一緒に移動するものであって、斯かる画像が停止したまま接触点だけが当該画像上を移動する」という主張は、引用文献１の記載に基づく主張でなく、当該主張を採用することはできない。
第７　むすび
　以上のとおり、本願の請求項１に係る発明は、引用文献１に記載された発明であるから、特許法第２９条第１項第３号に該当し、特許を受けることができない。
　したがって、本願は、他の請求項について検討するまでもなく、拒絶すべきものである。
　よって、結論のとおり審決する。